(57)【特許請求の範囲】
【請求項１】
内巻きされたホースを収納するホース収納部を内蔵する箱状の筺体を備えた消火栓装置であって、
前記筺体の前面側に設けられた前面開口部と、該前面開口部を開閉可能に設けられた前面扉と、前記筺体の上面側に設けられた上面開口部と、該上面開口部を開閉可能に設けられた上面扉と、前記筺体内に設けられ前記ホースの先端部に設けられる消火ノズルを着脱可能に保持するノズルホルダとを有し、
前記ホース収納部は、内巻きされたホースが、下部が前方で上部が後方になるように傾斜して配置されて前記上面開口部及び前記前面開口部のいずれからでも前記ホースを引き出し可能になっており、
前記ノズルホルダは、該ノズルホルダに保持された前記消火ノズルを前記筺体の前面側及び上面側のいずれからでも取り外し可能な位置に設けられていることを特徴とする消火栓装置。
【請求項２】
前記消火栓装置の前記上面扉が、前記箱状の筺体を構成する他の部位よりも強固に補強されていることを特徴とする請求項１に記載の消火栓装置。
【請求項３】
前記ホース収納部が傾斜状態から上部が前方側で下部が後方側に及び／又は上部が後方側で下部が前方側に傾動可能になっていることを特徴とする請求項１又は２に記載の消火栓装置。
【発明の詳細な説明】
【技術分野】
【０００１】
本発明は、トンネル等に設置される消火栓装置に関する。
【背景技術】
【０００２】
トンネル等に設置される消火栓装置は、例えば特許文献１に開示されたように、消火栓本体を「トンネル壁面に形成された箱抜き部分」に設置し、消火栓弁ユニットを「監査路内の設置スペース」に分離して設置していた。
【０００３】
消火栓装置の本体が箱抜き部分に設置された場合、ホースの引き出しは本体の正面の扉を開放して正面側から行われることになる。
【先行技術文献】
【特許文献】
【０００４】
【特許文献１】特開２０１５−４４０３９号公報
【発明の概要】
【発明が解決しようとする課題】
【０００５】
最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監査路内に埋め込み、消火栓弁ユニットを車道の下方に設置することが考えられる。
【０００６】
このような配置を選択した場合、消火栓装置の正面が車道に面することになるため、仮に火災が消火栓装置の本体の直ぐ前で発生したような場合や、消火栓装置の本体のすぐ前に車が停車している場合には正面扉を開けることができずホースを引き出すことができない事態が想定される。
【０００７】
本発明はかかる課題を解決するためになされたものであり、消火栓装置の本体を監査路内に埋め込んだ場合において、本体の正面側からホースの引き出しができない場合であっても、ホースの引き出しを可能にして、迅速な消火活動ができる消火栓装置を提供することを目的としている。
【課題を解決するための手段】
【０００８】
（１）本発明に係る消火栓装置は、内巻きされたホースを収納するホース収納部を内蔵する箱状の筺体を備えた消火栓装置であって、
前記筺体の前面側に設けられた前面開口部と、該前面開口部を開閉可能に設けられた前面扉と、前記筺体の上面側に設けられた上面開口部と、該上面開口部を開閉可能に設けられた上面扉と、前記筺体内に設けられ前記ホースの先端部に設けられる消火ノズルを着脱可能に保持するノズルホルダとを有し、
前記ホース収納部は、内巻きされたホースが、下部が前方で上部が後方になるように傾斜して配置されて前記上面開口部及び前記前面開口部のいずれからでも前記ホースを引き出し可能になっており、
前記ノズルホルダは、該ノズルホルダに保持された前記消火ノズルを前記筺体の前面側及び上面側のいずれからでも取り外し可能な位置に設けられていることを特徴とするものである。
【０００９】
（２）また、上記（１）に記載のものにおいて、前記消火栓装置の前記上面扉が、前記箱状の筺体を構成する他の部位よりも強固に補強されていることを特徴とするものである。
【００１０】
（３）また、上記（１）又は（２）に記載のものにおいて、前記ホース収納部が傾斜状態から上部が前方側で下部が後方側に及び／又は上部が後方側で下部が前方側に傾動可能になっていることを特徴とするものである。
【発明の効果】
【００１１】
本発明においては、内巻きされたホースを収納するホース収納部を内蔵する箱状の筺体を備えた消火栓装置であって、前記筺体の前面側に設けられた前面開口部と、該前面開口部を開閉可能に設けられた前面扉と、前記筺体の上面側に設けられた上面開口部と、該上面開口部を開閉可能に設けられた上面扉と、前記筺体内に設けられ前記ホースの先端部に設けられる消火ノズルを着脱可能に保持するノズルホルダとを有し、前記ホース収納部は、内巻きされたホースが、下部が前方で上部が後方になるように傾斜して配置されて前記上面開口部及び前記前面開口部のいずれからでも前記ホースを引き出し可能になっており、
前記ノズルホルダは、該ノズルホルダに保持された前記消火ノズルを前記筺体の前面側及び上面側のいずれからでも取り外し可能な位置に設けられていることにより、前記筺体の正面側からホースの引き出しができない場合であっても、前記筺体の上面側からホースを引き出すことで迅速な消火活動ができる。
【図面の簡単な説明】
【００１２】
【図１】本発明の一実施の形態に係る消火栓装置の正面図である。
【図２】図１に示した消火栓装置の側面から見た状態の内部構造の説明図である。
【図３】本発明の一実施の形態に係るノズルホルダの説明図である。
【図４】図１に示した消火栓装置の設置例の説明図である。
【図５】図４における矢視Ａ−Ａから見た状態を示す図である。
【発明を実施するための形態】
【００１３】
本実施の形態の消火栓装置１は、内巻きされたホース３を収納するホース収納部５を内蔵する本体６と消火栓弁ユニット７を備えた消火栓装置である。
【００１４】
＜本体＞
本体６は、図１、図２に示すように、矩形の箱状からなる筺体９を有し、筺体９内には内巻きに巻き回されたホース３を収納するホース収納部５および消火器を収納する消火器収納部１０が設けられている。
また、筺体９におけるホース収納部５の前面には前面開口部１１が設けられ、前面開口部１１には下降式の前面扉１３が設けられ、さらに筺体９における消火器収納部１０の前面には消火器箱前面開口部１２が設けられ、消火器箱前面開口部１２には横開き式の消火器箱前面扉１４が設けられている。
【００１５】
また、筺体９におけるホース収納部５の上面には上面開口部１５が設けられ、上面開口部１５には上面扉１７が設けられ、さらに筺体９における消火器収納部１０の上面には消火器箱上面開口部１６が設けられ、消火器箱上面開口部１６には消火器箱上面扉１８が設けられている。
また、筺体９内には、ホース３の先端に設けられた消火ノズル１９を所定の位置に保持するためのノズルホルダ２１が設けられている（図３参照）。
以下、本体６を構成する各部について詳細に説明する。
【００１６】
《ホース収納部》
ホース収納部５は、図２に示すように矩形の有底枠状をしており、内部に内巻きされたホース３が収納されている。
ホース収納部５は、図２に示すように、下部が前方で上部が後方になるように傾斜した状態で筺体９内に設置されている。
ホース収納部５を上記のように傾斜して配置したことにより、内巻きされたホース３を前面開口部１１のみならず上面開口部１５からも引出し可能になっている。
【００１７】
なお、ホース収納部５は、図２に示すような傾斜した状態で固定されていてもよいし、図２に示す状態から上部が前方側で下部が後方側に及び／又は上部が後方側で下部が前方側に傾動可能になるように構成してもよい。
ホース収納部５を傾動可能にすることで、前面開口部１１から引き出す際には、ホース収納部５が図２に示す状態から、矢印Ａで示す方向（上部が前方側で下部が後方側となる方向）に回動することで、ホース３の引き出しの円滑化を図ることができる。他方、上面開口部１５からホース３を引き出す際には、ホース収納部５が図２に示す状態から、矢印Ｂで示す方向（上部が後方側で下部が前方側となる方向）に回動することで、ホース３の引き出しの円滑化を図ることができる。
なお、ホース収納部５は、固定する場合も傾動可能とする場合も、矩形に限定されるものではなく、例えば楕円形や円形でもよく、内部にホース３を内巻きに収納できればよい。
【００１８】
《前面扉》
前面扉１３は、板状の金属板から構成された横長の矩形状をしており、上述のように筺体９の前面開口部１１に開閉可能に取り付けられている。
前面扉１３は下降することで前面開口部１１を開放し、上昇することで前面開口部１１を閉止するいわゆる下降式の扉である。
前面扉１３を下降式の扉にすることで、消火栓装置１の前面側に障害物が近接しても扉を開放することができる。
もっとも、本発明の前面扉１３は下降式に限定されるものではなく、例えば前方側に１８０°回動するような形式やその他の形式のものも含む。
【００１９】
《消火器箱前面扉》
また、消火器箱前面扉１４は、扉の一端側（図１では向かって左側）が本体６に丁番で横方向に回動可能に取り付けられている。他端側には把手が設けられ、使用時にはこれを引いて消火器箱前面扉１４を開放する。
なお、本発明の消火器箱前面扉１４についても、横開き式に限定されるものではなく、例えば下降式の扉でもよい。
また、前面扉１３と消火器箱前面扉１４の開放方法は、上述のように異なる開放方法を採用しても良いし、同じ開放方法を採用しても良い。
【００２０】
《上面扉》
上面扉１７は、板状の金属板から構成された横長の矩形状をしており、上述のように筺体９の上面開口部１５に開閉可能に取り付けられている。
上面扉１７は、図２に示すように、前側の辺部に設けられた図示しない回動軸を中心として例えば、前面側に向けて回動するようになっている。
上面扉１７は、開放状態でロックして自然には閉止しないようにするのが好ましい。
なお、上面扉１７の開閉方式についても、上記の回動形に限定されず、例えばスライド方式のものであってもよい。
【００２１】
《消火器箱上面扉》
また、消火器箱上面扉１８も上面扉１７と同様の構成となっている。
なお、上面扉１７と消火器箱上面扉１８の開放方法は上述のように同じ開放方法を採用しても良いし、異なる採用方法としてもよい。例えば、上面扉１７は上述のように回動方式であり、消火器箱上面扉１８はスライド方式であってもよい。
【００２２】
上面扉１７および消火器箱上面扉１８は、その上面を人が通行可能な強度にすることで、路面の一部を構成するように設置することができる。
筺体９を構成するパネルは補強されたとしても撓み防止程度のものであるが、上面扉１７および消火器箱上面扉１８を通行可能にする場合、上面扉１７および消火器箱上面扉１８の下面側を全面に亘って補強して他の部位よりも強固にするのが好ましい。補強方法としては、例えば補強材としてグレーチング材を用いたり、ハニカム構造の蓋材などを用いたりすることで軽量化と高強度化を実現できる。
【００２３】
《ノズルホルダ》
ノズルホルダ２１は、ホース３の収納時において、ホース３の先端に設けられた消火ノズル１９を保持するものであり、全体の形状がＣ形状を有する一対の保持片２３によって形成されている（図３参照）。一対の保持片２３は、図１に示すように、所定間隔を離して筺体９内に固定されている。
【００２４】
各保持片２３は、図３に示すように、合成樹脂製の平板を全体の形状がＣ形状になるように加工して形成されたものであり、保持片２３を筺体９の所定位置に固定するためのボルト孔２５が形成された基部２７と、基部２７から一方向に延出する湾曲した長爪部２９ａと、基部２７から他方向に延出する湾曲した短爪部２９ｂとを有し、長爪部２９ａ、短爪部２９ｂ及び基部２７によって囲まれた部位がノズル収容穴３１となっている。また、長爪部２９ａと短爪部２９ｂの先端部には隙間が形成されており、この隙間がノズル収容穴３１に向かった消火ノズル１９を通過させるための切欠き部３３となっている。
さらに、ノズル収容穴３１の穴縁３１ａにノズル収容穴３１の内方側に出っ張るように形成されて収容された消火ノズル１９の回転を防止する回転防止部３５とを備えている。
【００２５】
なお、本実施の形態の回転防止部３５は、図３に示すように、湾曲する穴縁３１ａの２点を結ぶように形成された直線部を備えた壁部によって構成されている。
【００２６】
上記のように構成されたノズルホルダ２１においては、保持片２３は切欠き部３３が斜め上向きになるように固定され、切欠き部３３から消火ノズル１９をノズル収容穴３１に向けて押し込むことで、長爪部２９ａ及び短爪部２９ｂが変形して消火ノズル１９がノズル収容穴３１に保持される。
ノズル収容穴３１に消火ノズル１９を保持した状態では、回転防止部３５が消火ノズル１９を押圧することで消火ノズル１９の回転が防止される。
したがって、消火ノズル１９を上面開口部１５及び前面開口部１１のいずれからでも取り出しやすい状態に保持することができる。
【００２７】
本実施の形態のノズルホルダ２１は、ノズル収容穴３１に回転防止部３５を設けたことにより、経年変化による消火ノズル１９の回転を防止して消火ノズル１９を上面開口部１５及び前面開口部１１のいずれからでも取り出しやすい状態を維持し、消火活動の円滑化に資するものである。
また、回転防止部３５は、ノズル収容穴３１の内方側に出っ張るように形成されたものであり、ノズル収容穴３１の形状の精度が多少劣ったものであっても、消火ノズル１９の回転を確実に防止できるので、換言すればノズル収容穴３１の精度が要求されないようにすることができるという効果も有する。
【００２８】
なお、ノズルホルダ２１は、筺体９内に設置されるが、その設置位置は、ノズルホルダ２１に保持された消火ノズル１９を筺体９の前面側及び上面側のいずれからでも取り外し可能な位置にするのが好ましい。このような位置として、例えばホース収納部５の前面や側面、筐体９内側側面、あるいは前面扉を前方側に１８０°回動する形式のものにした場合の前面扉の内面側に取り付ける等が考えられる。
【００２９】
＜消火栓弁ユニット＞
消火栓弁ユニット７は、特許文献１に示されたような消火栓弁と自動調圧弁と自動排水弁が一体化されたものである。消火栓弁ユニット７は、車道４３の下方の下部空間４５に配置され、配水本管３６の分岐管に消火栓弁の一次側を接続し、自動調圧弁の二次側と筺体９内の配管系統をフレキシブルホース３７で接続する（図４参照）。
【００３０】
シールドトンネル３９の場合、監査路４１と車道４３の下方の下部空間４５との距離が長くなるため（図４、図５参照）、本実施の形態のように、消火栓弁ユニット７を下部空間４５に設置して筺体９内の配管系統と消火栓弁ユニット７とをフレキシブルホース３７で接続するようにすれば、配管工事を極めて簡単かつ円滑に行うことができる。
【００３１】
なお、筺体９内の壁面には、図示しない操作レバーが設けられ、ワイヤー等を介して消火栓弁ユニット７の消火栓弁の開閉を遠隔操作できるようになっている。このため、操作レバーは前面開口側及び上面開口側のいずれかでも操作できる位置に配置されている。
なお、消火栓弁を電動弁によって構成して、操作レバーに代えて電動弁を動作させる操作スイッチを設けるようにしてもよい。
【００３２】
上記のように構成された本実施の形態の好適な設置方法について図４、図５に基づいて説明する。
消火栓装置１は、シールドトンネル３９の監査路４１内に埋め込むように設置され、車道４３側に正面パネルが配置される。
また、前述したように、消火栓弁ユニット７が車道４３の下方にある下部空間４５内に配置され、消火栓弁ユニット７と消火栓装置１がフレキシブルホース３７で接続されている。
【００３３】
図３、図４に示す例では、消火栓装置１の上面扉１７および消火器箱上面扉１８が監査路４１の路面の一部を構成している例である。もっとも、消火栓装置１の上面扉１７および消火器箱上面扉１８が監査路４１よりも下方になるように設置して、上面扉１７および消火器箱上面扉１８の上方の監査路部分にはマンホールやグレーチング蓋等の開閉可能の蓋体を設置するようにしてもよい。
【００３４】
上記のように構成された本実施の形態の消火栓装置１によれば、トンネル内で火災が発生した場合において、前面扉１３又は上面扉１７を開放して消火ノズル１９を取り出して消火活動を行うことができる。
消火栓装置１を監査路４１内に設置しているので、消火栓装置１の前面扉１３が車道４３に面しており、例えば前面扉１３の直ぐ前で火災が発生した場合や、前面扉１３のすぐ前に車両が停止している場合など、前面扉１３を開けることができない事態も考えられる。この点、本実施の形態の消火栓装置１は、上面扉１７を開けて消火ノズル１９を取り出すことができるので、上記のような場合には、操作者は監査路４１から上面扉１７を開けて消火ノズル１９を取り出し、監査路４１から消火活動ができ、安全な場所からの消火活動を迅速に行うことができる。
同様に消火器箱前面扉１４を開けることができない場合にも、消火器箱上面扉１８を開けて消火器を取り出すことができるので、消火器で消火可能な火災の初期状態において、消火器を速やかに取り出して消火活動を迅速に行うことができる。
【００３５】
また、本実施の形態の消火栓装置１は、ホース収納部５が図２に示すように前後に傾斜して配置されているので、前面扉１３及び上面扉１７のいずれから消火ノズル１９を取り出してホース３を引き出す場合であっても、ホース３の引き出しを円滑に行うことができる。
また、上述したように、ホース収納部５を傾動可能に構成することで、ホース３の引き出しをよりスムーズにすることができる。
【００３６】
なお、上記の説明では消火栓装置１を本体６と消火栓弁ユニット７で構成する例を示したが、本発明に係る消火栓装置１は、その内部に消火栓弁、調圧弁及び自動排水弁を有するものも含む。
【符号の説明】
【００３７】
１  消火栓装置、３  ホース、５  ホース収納部、６  本体、７  消火栓弁ユニット、
９  筺体、１０  消火器収納部、１１  前面開口部、１２  消火器箱前面開口部、
１３  前面扉、１４  消火器箱前面扉、１５  上面開口部、１６  消火器箱上面開口部、１７  上面扉、１８  消火器箱上面扉、１９  消火ノズル、２１  ノズルホルダ、
２３  保持片、２５  ボルト孔、２７  基部、２９ａ  長爪部、２９ｂ  短爪部、
３１  ノズル収容穴、３１ａ  穴縁、３３  切欠き部、３５  回転防止部、
３６  配水本管、３７  フレキシブルホース、３９  シールドトンネル、
４１  監査路、４３  車道、４５  下部空間
【図１】
0006568777.tif 000002
【図２】
0006568777.tif 000003
【図３】
0006568777.tif 000004
【図４】
0006568777.tif 000005
【図５】
0006568777.tif 000006